(57)【要約】【課題】物理量の検出装置を回転機械の回転軸へ設置する治具であって、回転軸に取り付ける作業工数を低減した物理量検出装置の取り付け治具を提供する。【解決手段】磁石３ａ、３ｂの半円リング形状の径方向における外面を、それぞれ半円リング形状のベースプレート２ａ、２ｂの半円リング形状の径方向における内面に当接して固定し、ベースプレート２ａ、２ｂにそれぞれ固定された磁石３ａ、３ｂの半円リング形状の部分の径方向における内面を、回転軸１の外面の周方向に沿って当接させ、磁石３ａ、３ｂの磁力によって回転軸１に固定させる。【選択図】図４
2014109563.tif 000002
【特許請求の範囲】
【請求項１】
円周形状を呈し、物理量検出装置が着脱自在に固定可能とし、回転機械の回転軸の外面の周方向に沿って並べて設けられる複数のベースプレートと、
円周形状を呈し、前記回転軸と複数の前記ベースプレートとの間に設けられ、複数の前記ベースプレートを前記回転軸に着脱自在に固定する複数の固定部材と、
を備え、
複数の前記固定部材は、該固定部材の前記円周形状の周方向の両端部が互いに当接し、前記回転軸の外面の周方向全体に亘って連なることによって、複数の前記ベースプレートを前記回転軸に固定することを特徴とする物理量検出装置の取り付け治具。
【請求項２】
前記固定部材は、磁石であり、該磁石の磁力によって、該固定部材の前記円周形状の径方向における内面が前記回転軸の外面の円周方向に沿って固定されることを特徴とする請求項１に記載の物理量検出装置の取り付け治具。
【請求項３】
前記固定部材は、両端から前記円周形状の径方向外側の向きに延出して形成された固定部材連結部を有し、
前記固定部材の前記円周方向の径方向における内面が前記回転軸の外面の周方向に沿って当接した場合に、前記固定部材連結部の内面が互いに当接することを特徴とする請求項１又は２に記載の物理量検出装置の取り付け治具。
【請求項４】
連結部材を、さらに備え、
前記ベースプレートは、両端から前記円周方向の径方向外側の向きに延出して形成されたベースプレート連結部を有し、
前記連結部材は、前記ベースプレートの前記ベースプレート連結部と、該ベースプレートと異なる前記ベースプレートの前記ベースプレート連結部とを回動自在に連結することによって、複数の前記ベースプレートを直列に連結したことを特徴とする請求項１〜３のいずれか一項に記載の物理量検出装置の取り付け治具。
【請求項５】
前記連結部材によって直列に連結された前記ベースプレートのうちの両端側の前記ベースプレートの前記ベースプレート連結部に固定された留め具を備え、
前記固定部材の前記円周方向の径方向における内面が前記回転軸の外面の周方向に沿って当接した場合に、前記ベースプレート連結部に固定された前記留め具が互いに嵌合して固定されることを特徴とする請求項４に記載の物理量検出装置の取り付け治具。
【請求項６】
前記固定部材は、弾性を有し、前記円周形状の内径が前記回転軸の半径よりも小さいことを特徴とする請求項５に記載の物理量検出装置の取り付け治具。
【発明の詳細な説明】
【技術分野】
【０００１】
本発明は、回転機械の回転軸に簡易に物理量検出装置を取り付けることが可能な物理量検出装置の取り付け治具に関する。
【背景技術】
【０００２】
回転機械（例えば、蒸気タービン又はガスタービン等）の回転軸（ロータ）には、様々な物理量を検出するための装置が取り付けられ、検出した物理量は、回転機械の保全に役立てられている。
【０００３】
そのような回転機械として、例えば、ガスタービンは、圧縮機と、燃焼器と、タービン部とを備えている。タービン部は、車室内に回転軸が回転自在に支持され、この回転軸の外周部に動翼が設置されると共に、車室の内壁に静翼が設置され、ガス通路に静翼と動翼とが交互に複数配設されて構成されている。圧縮機は、空気取込口から取り込まれた空気を圧縮して高温高圧の圧縮空気とし、燃焼器は、この圧縮空気に対して燃料を混合して燃焼させ、作動流体である高温高圧の燃焼ガスを発生させる。タービン部は、この燃焼ガスによって動翼及び回転軸が回転駆動され、回転軸に連結された発電機等を駆動させる。
【０００４】
このような、ガスタービンを含む回転機械の回転軸に取り付けられる検出装置によって検出される物理量として、例えば、回転軸の振動、温度及びトルク等がある。回転軸に発生する振動の原因としては、例えば、ガスタービンにおいては、ガス通路を通過する作動流体によって、動翼に振動が発生し、その振動が回転軸に伝達することが考えられる。この回転軸に振動が発生すると、車室内で回転軸を支持している軸受けが損傷し、又は、回転軸自体が塑性変形する可能性がある。したがって、回転軸の振動を検出する作業は、回転機械の保全に重要な作業である。また、回転軸の温度の検出は、回転軸の温度が許容温度よりも高くなっていないか否かを確認するために必要になる場合があり、回転軸のトルクの検出は、回転軸に適正なトルクが発生しているか否かを確認するために必要な場合がある。
【０００５】
以上のような物理量を検出するための検出装置を回転軸に取り付けるには、回転軸に、その検出装置を固定する治具を取り付ける必要がある。そのような物理量の検出装置を取り付ける治具として、従来においては、回転軸の外周面に、その外周面の周方向の曲率が略同一である２つの半円形リング形状の部材の内周面を、回転軸を挟持する態様で当接させて、２つの半円形リング形状の部材のそれぞれの両端部をボルト及びナットで固定し、円形リング形状の治具とするものがある。そして、検出装置は、この円形リング形状の治具に取り付けられる。
【０００６】
また、物理量の検出装置を取り付ける治具として、特許文献１には、回転駆動中に生ずる翼ブレードのひずみを検出する歪みゲージから、検出したひずみ情報を受信して、外部の受信装置に送信する送信装置が、回転軸に取り付けられる集塵機が記載されている。この送信装置は、送信機及び電池が筐体に収納された態様で構成されており、送信機及び電池は、筐体が回転軸に取り付けられたときの取り付け面と反対側の面に当接してボルト及びナットによって締め付けて取り付けられる。さらに、送信装置は、回転軸に取り付けられる際に、筐体の上面側の適当な位置な箇所に帯状材が配置され、この帯状材が回転軸の周囲に巻き回されることによって締め付け及び固定される。このようにして、集塵機の運転中、すなわち、回転軸の回転中に、送信装置が遠心力によって剥がれることがないようにしている。
【先行技術文献】
【特許文献】
【０００７】
【特許文献１】特開２００２−２４５５８２号公報
【発明の概要】
【発明が解決しようとする課題】
【０００８】
しかしながら、前述のように、回転軸に固定された円形リング形状の治具に検出装置を取り付けた場合、回転軸の回転中に、ボルト及びナットが緩んで外れるという可能性がある。また、ボルト及びナットによって、回転軸に円形リング形状の治具を締め付けて固定するため作業工数が増大するという問題もある。
【０００９】
また、特許文献１に記載された集塵装置の回転軸に送信装置を取り付ける場合においては、送信装置のうち、送信機及び電池を筐体にボルト及びナットで締め付けて取り付け、さらに、送信装置の筐体の上面側に帯状材を配置し、帯状材を回転軸の周囲に巻き回すことによって締め付け及び固定する必要がある。したがって、上記の円形リング形状の治具を取り付ける場合と同様に、作業工数が大幅に増大するという問題がある。
【００１０】
本発明は、上記のような課題を解決するためになされたものであり、物理量の検出装置を回転機械の回転軸へ設置する治具であって、回転軸に取り付ける作業工数を低減した物理量検出装置の取り付け治具を提供することを目的とする。
【課題を解決するための手段】
【００１１】
上記の課題を解決するための本発明に係る物理量検出装置の取り付け治具は、円周形状を呈し、物理量検出装置が着脱自在に固定可能とし、回転機械の回転軸の外面の周方向に沿って並べて設けられる複数のベースプレートと、円周形状を呈し、前記回転軸と複数の前記ベースプレートとの間に設けられ、複数の前記ベースプレートを前記回転軸に着脱自在に固定する複数の固定部材と、を備え、複数の前記固定部材は、該固定部材の前記円周形状の周方向の両端部が互いに当接し、前記回転軸の外面の周方向全体に亘って連なることによって、複数の前記ベースプレートを前記回転軸に固定することを特徴とするものである。このうち、前記固定部材は、磁石とし、該磁石の磁力によって、該固定部材の前記円周形状の径方向における内面が前記回転軸の外面の円周方向に沿って固定されるものとしてもよい。
【００１２】
これによって、取り付け治具を回転軸に固定するのにボルト及びナット等の固定器具が不要となるので、回転軸の回転中に、ボルト及びナットが緩んで外れる不具合を回避することができる。また、ボルト及びナット等の固定器具が不要であることによって、取り付け治具の固定するための作業工数を削減することができる。
【００１３】
また、本発明に係る物理量検出装置の取り付け治具は、前記固定部材が、両端から前記円周形状の径方向外側の向きに延出して形成された固定部材連結部を有し、前記固定部材の前記円周方向の径方向における内面が前記回転軸の外面の周方向に沿って当接した場合に、前記固定部材連結部の内面が互いに当接することを特徴としている。
【００１４】
これによって、複数のベースプレートの円周部分の軸心方向を平行とすることができ、固定部材の円周形状の径方向における内面を、回転軸の外面に密着させることができるので、物理量検出装置による回転軸に関する物理量検出の精度を向上させることができる。
【００１５】
また、本発明に係る物理量検出装置の取り付け治具は、連結部材を、さらに備え、前記ベースプレートは、両端から前記円周方向の径方向外側の向きに延出して形成されたベースプレート連結部を有し、前記連結部材は、前記ベースプレートの前記ベースプレート連結部と、該ベースプレートと異なる前記ベースプレートの前記ベースプレート連結部とを回動自在に連結することによって、複数の前記ベースプレートを直列に連結したことを特徴としている。
【００１６】
これによって、簡易に取り付け治具を回転軸に固定することができ、複数のベースプレートの円周部分の軸心方向を平行とすることができ、固定部材の円周形状の部分の径方向における内面を、回転軸の外面に密着させることができるので、物理量検出装置による回転軸に関する物理量検出の精度を向上させることができる。
【００１７】
また、本発明に係る物理量検出装置の取り付け治具は、前記連結部材によって直列に連結された前記ベースプレートのうちの両端側の前記ベースプレートの前記ベースプレート連結部に固定された留め具を備え、前記固定部材の前記円周方向の径方向における内面が前記回転軸の外面の周方向に沿って当接した場合に、前記ベースプレート連結部に固定された前記留め具が互いに嵌合して固定されることを特徴としている。
【００１８】
これによって、留め具を互いに嵌合させて固定することによって、より確実に、取り付け治具を回転軸に固定することができ、複数のベースプレートの円周部分の軸心方向を平行とすることができる。
【００１９】
また、本発明に係る物理量検出装置の取り付け治具は、前記固定部材は、弾性を有し、前記円周形状の内径が前記回転軸の半径よりも小さいことを特徴としている。
【００２０】
これによって、固定部材の弾性によって、円周形状の内径が大きくなって、円周形状の部分の径方向における内面を、回転軸の外面に密着させることができ、物理量検出装置による回転軸に関する物理量検出の精度を向上させることができる。
【発明の効果】
【００２１】
本発明に係る物理量検出装置の取り付け治具によれば、取り付け治具を回転軸に固定するのにボルト及びナット等の固定器具を不要とし、固定するための作業工数を削減することができる。
【図面の簡単な説明】
【００２２】
【図１】図１は、実施形態１に係る取り付け治具の正面図である。
【図２】図２は、実施形態１に係る取り付け治具の側面図である。
【図３】図３は、実施形態１のテレメータ装置及び解析装置のブロック図である。
【図４】図４は、実施形態１に係る取り付け治具を回転軸に固定した状態において該回転軸の軸方向から見た図である。
【図５】図５は、実施形態１に係る取り付け治具を回転軸に固定した状態において該回転軸の径方向から見た図である。
【図６】図６は、実施形態２に係る取り付け治具の正面図である。
【図７】図７は、実施形態２に係る取り付け治具の側面図である。
【図８】図８は、実施形態２に係る取り付け治具を回転軸に固定した状態において該回転軸の軸方向から見た図である。
【図９】図９は、実施形態２に係る取り付け治具を回転軸に固定した状態において該回転軸の径方向から見た図である。
【発明を実施するための形態】
【００２３】
［実施形態１］
（取り付け治具１０１の構成）
図１は、実施形態１に係る取り付け治具の正面図であり、図２は、実施形態１に係る取り付け治具の側面図である。図１及び図２を参照しながら、実施形態１に係る取り付け治具１０１の構成について説明する。
【００２４】
実施形態１に係る取り付け治具１０１は、図１に示すように、ベースプレート２ａ、２ｂと、磁石（固定部材）３ａ、３ｂとを備えている。
【００２５】
ベースプレート２ａ、２ｂは、それぞれ半円リング形状（半円の円周形状）に加工した鋼板である。また、ベースプレート２ａ、２ｂの両端には、半円リング形状の径方向外側の向きに、それぞれベースプレート連結部２１ａ、２１ｂが延出して形成されている。図１においては、便宜上、紙面視の上側のベースプレートを２ａ、下側のベースプレートを２ｂとしている。
【００２６】
磁石３ａ、３ｂは、それぞれ半円リング形状（半円の円周形状）に形成された磁石である。また、磁石３ａ、３ｂの両端には、半円リング形状の径方向外側の向きに、それぞれ磁石連結部（固定部材連結部）３１ａ、３１ｂが延出して形成されている。この磁石３ａ、３ｂの半円リング形状の径方向における外面は、それぞれ半円リング形状のベースプレート２ａ、２ｂの半円リング形状の径方向における内面に当接して固定される。この際、磁石３ａ、３ｂの磁石連結部３１ａ、３１ｂの外面は、それぞれベースプレート連結部２１ａ、２１ｂの内面に当接して固定される。具体的な固定方法としては、磁石３ａ、３ｂの磁力によってベースプレート２ａ、２ｂへ固定するものとしてもよく、それに加えて、ボルト及びナット等の固定手段によって、磁石３ａ、３ｂをそれぞれベースプレート２ａ、２ｂに固定するものとしてもよい。
【００２７】
なお、ベースプレート２ａ、２ｂには、それぞれベースプレート連結部２１ａ、２１ｂが形成されているものとしたが、必ずしも、ベースプレート連結部２１ａ、２１ｂが形成される必要はない。
【００２８】
以上のように構成された取り付け治具１０１におけるベースプレート２ａ、２ｂの半円リング形状の径方向における外面に、後述するテレメータ装置１０２におけるテレメータ送信機４及びバッテリ５を固定することできる。なお、テレメータ送信機４及びバッテリ５は、取り付け治具１０１におけるベースプレート２ａ、２ｂの半円リング形状の径方向における外面に固定されることに限定されるものではなく、ベースプレート２ａ、２ｂに固定可能であればどのような態様で固定されるものとしてもよい。
【００２９】
なお、図１及び図２は、ベースプレート２ａ、２ｂのそれぞれの半円リング形状の径方向における外面にテレメータ送信機４及びバッテリ５が固定された例を示しているが、これに限定されるものではない。例えば、ベースプレート２ａ、２ｂの一方にのみ、テレメータ送信機４及びバッテリ５が固定されるものとしてもよい。又は、ベースプレート２ａの半円リング形状の径方向における外面にテレメータ送信機４を固定し、ベースプレート２ｂの半円リング形状の径方向における外面にそのテレメータ送信機４に接続されるバッテリ５を固定するものとしてもよい。
【００３０】
（テレメータ装置１０２の構成）
図３は、実施形態１のテレメータ装置及び解析装置のブロック図である。図３を参照しながら、テレメータ装置１０２及び解析装置７の構成及び接続関係について説明する。
【００３１】
テレメータ装置１０２は、図３に示すように、テレメータ送信機４と、バッテリ５と、テレメータ受信機６とを備えている。このうち、テレメータ受信機６には、解析装置７が接続されている。
【００３２】
テレメータ送信機４は、検出部４１と、送信部４２と、送信アンテナ４３とを有している。テレメータ受信機６は、受信アンテナ６１を有している。
【００３３】
検出部４１は、振動を検出する検出装置であり、後述するように、取り付け治具１０１が回転機械の回転軸に固定され、取り付け治具１０１にテレメータ送信機４が固定された場合、回転機械の運転中の回転軸に発生した振動を検出する。また、検出部４１は、信号線によって送信部４２に接続されており、例えば、検出した振動の大きさ又は振動数を電圧信号に変換して、この電圧信号を送信部４２に送信する。
【００３４】
送信部４２は、検出部４１から受信した電圧信号を、例えば、ＦＭ（Ｆｒｅｑｕｅｎｃｙ  Ｍｏｄｕｌａｔｉｏｎ）信号に変調し、送信アンテナ４３を介して、受信アンテナ６１に送信する。
【００３５】
バッテリ５は、テレメータ送信機４に電気的に接続されており、テレメータ送信機４内の各機器に電源を供給するものである。
【００３６】
テレメータ受信機６は、送信部４２から受信アンテナ６１を介して受信した変調信号（上記ではＦＭ信号）を復調する。また、テレメータ受信機６は、信号線によって解析装置７に接続されており、復調した信号を解析装置７に送信する。また、テレメータ受信機６は、テレメータ送信機４から変調信号を受信することが可能な距離範囲に配置される。
【００３７】
解析装置７は、テレメータ受信機６から受信した信号に基づいて、回転軸に発生した振動について解析する。
【００３８】
なお、検出部４１は、図３に示すように、テレメータ送信機４が備えるものとしているが、これに限定されるものではなく、テレメータ送信機４とは別体とし、別箇所に設置可能であるものとしてもよい。例えば、回転機械がガスタービン又は蒸気タービンである場合、検出部４１は、回転軸のみならず、回転軸からその径方向に延設された動翼に設置して、その動翼自体の振動を検出するものとしてもよい。
【００３９】
また、テレメータ送信機４及びバッテリ５は、図３に示すように、互いに電気的に接続された構成となっているが、これに限定されるものではなく、一体型で構成されるものとしてもよい。
【００４０】
また、検出部４１は、回転機械の回転軸の振動を検出するものとしたが、これに限定されるものではなく、回転軸の温度又はトルク等その他の物理量を検出するものとしてもよい。
【００４１】
また、ベースプレート２ａ、２ｂに固定されるテレメータ送信機４及びバッテリ５は、本発明の「物理量検出装置」に相当する。
【００４２】
（取り付け治具１０１の回転軸の固定方法）
図４は、実施形態１に係る取り付け治具を回転軸に固定した状態において該回転軸の軸方向から見た図であり、図５は、該回転軸の径方向から見た図である。図４及び図５を参照しながら、実施形態１に係る取り付け治具１０１を回転軸１に固定する手順について説明する。
【００４３】
まず、ベースプレート２ａ、２ｂの半円リング形状の径方向における外面に、テレメータ送信機４及びバッテリ５を固定する。この場合、必ずしも、ベースプレート２ａ、２ｂ双方にテレメータ送信機４及びバッテリ５を固定する必要はない。
【００４４】
次に、ベースプレート２ａに固定された磁石３ａの半円リング形状の部分（磁石連結部３１ａ以外の部分）の径方向における内面を、回転軸１の外面の周方向に沿って当接させ、磁石３ａの磁力によって回転軸１に固定させる。同様に、ベースプレート２ｂに固定された磁石３ｂの半円リング形状の部分（磁石連結部３１ｂ以外の部分）の径方向における内面を、回転軸１の外面の周方向に沿って当接させ、磁石３ｂの磁力によって回転軸１に固定させる。このとき、磁石３ａの磁石連結部３１ａの内面を、磁石３ｂの磁石連結部３１ｂの内面に当接させて双方の磁力によって固定させ、かつ、磁石連結部３１ａの内面の周縁部と磁石連結部３１ｂの内面の周縁部とが略一致するように固定させる。
【００４５】
なお、図４及び図５の紙面視において、ベースプレート２ａ、２ｂが回転軸１に固定された結果、上側のベースプレートが２ａ、下側のベースプレートが２ｂとしているが、便宜上このように記載しているだけであるのは言うまでもない。すなわち、ベースプレート２ａ、２ｂが、回転軸１の周方向においていずれの位置に設置されるものとしてもよい。
【００４６】
以上の取り付け治具１０１の構造によって、磁石の磁力によって取り付け治具１０１を回転軸１に固定することが可能となる。これによって、取り付け治具１０１を回転軸１に固定するのにボルト及びナット等の固定器具が不要となるので、回転軸１の回転中に、ボルト及びナットが緩んで外れる不具合を回避することができる。また、ボルト及びナット等の固定器具が不要であることによって、取り付け治具１０１の固定するための作業工数を削減することができる。
【００４７】
また、磁石連結部３１ａの内面の周縁部と磁石連結部３１ｂの内面の周縁部とを略一致するように固定することによって、ベースプレート２ａの円周部分の軸心方向と、ベースプレート２ｂの円周部分の軸心方向とを平行とすることができる。これによって、磁石３ａ、３ｂの半円リング形状の部分（磁石連結部３１ａ以外の部分）の径方向における内面を、回転軸１の外面に密着させることができるので、テレメータ送信機４の検出部４１の回転軸１の振動検出の精度を向上させることができる。
【００４８】
なお、図１及び図２に示すように、取り付け治具１０１は、２つに分割された半円リング形状のベースプレート及び磁石を有する構成としたが、これに限定されるものではなく、３つ以上に分割された円周形状のベースプレート及び磁石を有する構成としてもよい。
【００４９】
また、ベースプレート２ａ、２ｂを回転軸１に固定させる固定部材として、磁石３ａ、３ｂを使用したが、これに限定されるものではなく、例えば、固定部材として磁石以外の両面接着部材を使用し、ベースプレート２ａ、２ｂを回転軸１に固定させるものとしてもよい。
【００５０】
［実施形態２］
実施形態２の物理量検出装置の取り付け治具について、実施形態１の物理量検出装置の取り付け治具と相違する点を中心に説明する。
【００５１】
（取り付け治具１０１ａの構成）
図６は、実施形態２に係る取り付け治具の正面図であり、図７は、実施形態２に係る取り付け治具の側面図である。図６及び図７を参照しながら、実施形態２に係る取り付け治具１０１ａの構成について説明する。
【００５２】
実施形態２に係る取り付け治具１０１ａは、図６に示すように、ベースプレート２ａ、２ｂと、磁石（固定部材）３ａ、３ｂと、蝶番（連結部材）８と、留め具９ａ、９ｂとを備えている。
【００５３】
蝶番８は、ベースプレート２ａの両端のベースプレート連結部２１ａのうちの一方と、ベースプレート２ｂの両端のベースプレート連結部２１ｂのうちの一方とを連結し、ベースプレート２ａ、２ｂ双方を回動自在に支持するものである。留め具９ａは、ベースプレート２ａのベースプレート連結部２１ａのうちの他方に固定され、留め具９ｂは、ベースプレート２ｂのベースプレート連結部２１ａのうちの他方に固定されている。この留め具９ａ、９ｂは、互いに嵌合して固定される構造を有している。
【００５４】
以上のように構成された取り付け治具１０１ａにおけるベースプレート２ａ、２ｂの半円リング形状の径方向における外面に、テレメータ装置１０２におけるテレメータ送信機４及びバッテリ５を固定することできる。なお、テレメータ送信機４及びバッテリ５は、取り付け治具１０１ａにおけるベースプレート２ａ、２ｂの半円リング形状の径方向における外面に固定されることに限定されるものではなく、ベースプレート２ａ、２ｂに固定可能であればどのような態様で固定されるものとしてもよい。
【００５５】
（取り付け治具１０１ａの回転軸の固定方法）
図８は、実施形態２に係る取り付け治具を回転軸に固定した状態において該回転軸の軸方向から見た図であり、図９は、該回転軸の径方向から見た図である。図８及び図９を参照しながら、実施形態２に係る取り付け治具１０１ａを回転軸１に固定する手順について説明する。
【００５６】
まず、ベースプレート２ａ、２ｂの半円リング形状の径方向における外面に、テレメータ送信機４及びバッテリ５を固定する。この場合、必ずしも、ベースプレート２ａ、２ｂ双方にテレメータ送信機４及びバッテリ５を固定する必要はない。
【００５７】
次に、蝶番８によって連結されたベースプレート２ａ及びベースプレート２ｂを、留め具９ａが固定されたベースプレート連結部２１ａと、留め具９ｂが固定されたベースプレート連結部２１ｂとが離間する方向に、蝶番８を中心に回動させる。次に、取り付け治具１０１ａを、回転軸１の径方向から、回転軸１が離間した留め具９ａと留め具９ｂとの間を通過して蝶番８へ向かう向きに移動させる。
【００５８】
次に、磁石３ａの内面及び磁石３ｂの内面によって、回転軸１を挟持するように、離間した留め具９ａと留め具９ｂとを近づける。そして、留め具９ａが固定されたベースプレート連結部２１ａに固定された磁石連結部３１ａの内面と、留め具９ｂが固定されたベースプレート連結部２１ｂに固定された磁石連結部３１ｂの内面とを当接させ、双方の磁力によって固定させる。これによって、磁石３ａ、３ｂの半円リング形状の部分の径方向における内面が、回転軸１の外面の周方向に沿って当接し、磁石３ａ、３ｂの磁力によって回転軸１に固定される。この状態で、留め具９ａと留め具９ｂとを互いに嵌合させて固定する。これによって、蝶番８によって連結されたベースプレート連結部２１ａに固定された磁石連結部３１ａの内面と、ベースプレート連結部２１ｂに固定された磁石連結部３１ｂの内面とが当接して固定される。
【００５９】
以上の取り付け治具１０１ａの構造によって、磁石の磁力によって取り付け治具１０１ａを回転軸１に固定することが可能となる。これによって、取り付け治具１０１ａを回転軸１に固定するのにボルト及びナット等の固定器具が不要となるので、回転軸１の回転中に、ボルト及びナットが緩んで外れる不具合を回避することができる。また、ボルト及びナット等の固定器具が不要であることによって、取り付け治具１０１ａの固定するための作業工数を削減することができる。
【００６０】
また、蝶番８によって、ベースプレート２ａの両端のベースプレート連結部２１ａのうちの一方と、ベースプレート２ｂの両端のベースプレート連結部２１ｂのうちの一方とを連結させる構成としている。この構成により、簡易に取り付け治具１０１ａを回転軸１に固定することができ、留め具９ａと留め具９ｂとを互いに嵌合させて固定するのみで、磁石連結部３１ａの内面の周縁部と磁石連結部３１ｂの内面の周縁部とを略一致するように固定することができる。これによって、ベースプレート２ａ、２ｂの円周部分の軸心方向を平行とすることができ、磁石３ａ、３ｂの半円リング形状の部分の径方向における内面を、回転軸１の外面に密着させることができ、検出部４１の回転軸１の振動検出の精度を向上させることができる。
【００６１】
なお、前述のように、留め具９ａが固定されたベースプレート連結部２１ａに固定された磁石連結部３１ａの内面と、留め具９ｂが固定されたベースプレート連結部２１ｂに固定された磁石連結部３１ｂの内面とは双方の磁力によって固定される。したがって、必ずしも、留め具９ａ、９ｂを設置する必要はない。しかし、留め具９ａ、９ｂを設置し、留め具９ａと留め具９ｂとを互いに嵌合させて固定することによって、より確実に、取り付け治具１０１ａを回転軸１に固定することができる。
【００６２】
また、磁石３ａ、３ｂを弾性を有する磁石とし、磁石３ａ、３ｂの半円リング形状の内径を、回転軸１の半径よりも小さくした構成としてもよい。この場合、磁石３ａの内面及び磁石３ｂの内面によって回転軸１を挟持し、留め具９ａと留め具９ｂとを互いに嵌合させて固定すると、磁石３ａ、３ｂの内面は、回転軸１の外面から径方向外側の向きに押圧を受ける。その結果、磁石３ａ、３ｂの弾性によって、半円リング形状の内径が大きくなって、磁石３ａ、３ｂの半円リング形状の部分の径方向における内面を、回転軸１の外面に密着させることができ、検出部４１の回転軸１の振動検出の精度を向上させることができる。また、上記の弾性を有する磁石の代わりに、弾性を有する磁石以外の両面接着部材を使用するものとしてもよい。
【符号の説明】
【００６３】
１  回転軸
２ａ、２ｂ  ベースプレート
３ａ、３ｂ  磁石（固定部材）
４  テレメータ送信機
５  バッテリ
６  テレメータ受信機
７  解析装置
８  蝶番（連結部材）
９ａ、９ｂ  留め具
２１ａ、２１ｂ  ベースプレート連結部
３１ａ、３１ｂ  磁石連結部（固定部材連結部）
４１  検出部
４２  送信部
４３  送信アンテナ
６１  受信アンテナ
１０１、１０１ａ  取り付け治具
１０２  テレメータ装置
【図１】
2014109563.tif 000003
【図２】
2014109563.tif 000004
【図３】
2014109563.tif 000005
【図４】
2014109563.tif 000006
【図５】
2014109563.tif 000007
【図６】
2014109563.tif 000008
【図７】
2014109563.tif 000009
【図８】
2014109563.tif 000010
【図９】
2014109563.tif 000011